(57)【特許請求の範囲】
【請求項１】
画像形成を行う記録部を含む複数の機能実行部を備え、動作モードとして、前記機能実行部に電力供給を行う通常モードと前記機能実行部への電力供給を停止させる省エネモードとを有する画像形成装置であって、
消費電力を測定する電力測定部と、
前記電力測定部によって測定された消費電力を消費電力モニター情報として記憶する記憶部と、
前記通常モードから前記省エネモードに移行させる移行イベントと前記省エネモードから前記通常モードに復帰させる復帰イベントとを検出し、検出した前記移行イベント及び前記復帰イベントを発生時刻と共に前記消費電力モニター情報として前記記憶部に記憶させるイベント検出部と、
前記イベント検出部によって検出された前記移行イベント及び前記復帰イベントに基づいて動作モードを切り換えるモード切換部と、
前記消費電力モニター情報に基づいて、消費電力の推移をグラフ化すると共に、前記移行イベント及び前記復帰イベントの発生を表す表記が配置された消費電力モニター画面を生成する消費電力モニター画面生成部と、
前記消費電力モニター画面生成部によって生成された消費電力モニター画面を出力する出力手段とを具備し、
前記通常モードには、電力供給を行う前記機能実行部の数に応じた複数種類の動作モードが設定されていると共に、前記省エネモードには、前記復帰イベントを検出するイベント検出部への電力供給の有無に応じた複数種類の動作モードが設定されており、
前記記憶部には、前記移行イベントの種類と前記省エネモードの種類とが対応付けられた移行設定情報と、前記復帰イベントの種類と前記通常モードの種類とが対応付けられた復帰設定情報とが記憶されており、
前記モード切換部は、前記移行設定情報を参照することで、前記移行イベントの種類に応じた前記省エネモードに切り換えると共に、前記復帰設定情報を参照することで、前記復帰イベントの種類に応じた前記通常モードに切り換えて、切り換えた前記省エネモード及び前記通常モードを前記消費電力モニター情報として前記記憶部に記憶させ、
前記消費電力モニター画面生成部は、前記通常モード及び前記省エネモードの種類が表記される前記消費電力モニター画面を生成させることを特徴とする画像形成装置。
【請求項２】
前記消費電力モニター画面には、前記移行イベント及び前記復帰イベントの種類が表記されることを特徴とする請求項１記載の画像形成装置。
【請求項３】
前記記憶部には、前記復帰イベントの種類と、復帰前の前記省エネモードの種類と、復帰後の前記通常モードの種類と、引き続く動作とからなる複数の動作条件が動作条件情報として記憶されていると共に、前記動作条件毎の改善策が改善策情報として記憶されており、
前記動作条件情報の動作条件に合致した場合に、前記改善策情報に基づいて合致した動作条件に対応する前記改善策を特定する特定する改善策特定部を具備し、
前記消費電力モニター画面生成部は、前記改善策特定部によって特定された前記改善策が表記される前記消費電力モニター画面を生成させることを特徴とする請求項１又は２記載の画像形成装置。
【請求項４】
前記消費電力モニター画面上で、前記改善策の提案通りに前記移行設定情報及び前記復帰設定情報が変更可能であることを特徴とする請求項３記載の画像形成装置。
【発明の詳細な説明】
【技術分野】
【０００１】
本発明は、消費電力を低減する省エネモードを有する画像形成装置に関する。
【背景技術】
【０００２】
近年、複写機、スキャナー、複合機等の画像形成装置において消費電力の低減が求められている。そこで、消費電力を可視化することで、消費電力の低減を効果的に促す技術が提案されている（例えば、特許文献１、２参照）。
【０００３】
特許文献１では、現状の画像形成動作の一定期間の消費電力と、省エネモード移行時間を変えた時の消費電力との比較を行い、削減出来る消費電力を可視化する技術が開示されている。また、特許文献２では、機器の消費電力と動作モードとを表示する第２の表示部を設ける技術が開示されている。
【先行技術文献】
【特許文献】
【０００４】
【特許文献１】特開２００７−６５２５５号公報
【特許文献２】特開２０１１−７５９８８号公報
【発明の概要】
【発明が解決しようとする課題】
【０００５】
しかしながら、従来技術では、消費電力の推移を把握することができるが、消費電力の推移と、動作モードの種類、動作モードを切り換えるイベントとを関連づけて把握することができないという問題点があった。すなわち、省エネモードや通常モードには、複数の種類が存在すると共に、動作モードの切り換えの条件には、操作ボタンの操作や各種動作等の各種イベントが存在する。そして、各種イベントによって切り換えられる動作モードの種類は、設定可能に構成されているが、消費電力の推移と、動作モードの種類、動作モードを切り換えたイベントとを関連づけて把握することができないため、効果的な設定を行うことができなかった。
【０００６】
本発明の目的は、上記問題点に鑑み、従来技術の問題を解決し、消費電力の推移と、動作モードの種類、動作モードを切り換えたイベントとを関連づけて把握することができる画像形成装置を提供することにある。
【課題を解決するための手段】
【０００７】
本発明の画像形成装置は、画像形成を行う記録部を含む複数の機能実行部を備え、動作モードとして、前記機能実行部に電力供給を行う通常モードと前記機能実行部への電力供給を停止させる省エネモードとを有する画像形成装置であって、消費電力を測定する電力測定部と、前記電力測定部によって測定された消費電力を消費電力モニター情報として記憶する記憶部と、前記通常モードから前記省エネモードに移行させる移行イベントと前記省エネモードから前記通常モードに復帰させる復帰イベントとを検出し、検出した前記移行イベント及び前記復帰イベントを発生時刻と共に前記消費電力モニター情報として前記記憶部に記憶させるイベント検出部と、前記イベント検出部によって検出された前記移行イベント及び前記復帰イベントに基づいて動作モードを切り換えるモード切換部と、前記消費電力モニター情報に基づいて、消費電力の推移をグラフ化すると共に、前記移行イベント及び前記復帰イベントの発生を表す表記が配置された消費電力モニター画面を生成する消費電力モニター画面生成部と、前記消費電力モニター画面生成部によって生成された消費電力モニター画面を出力する出力手段とを具備し、前記通常モードには、電力供給を行う前記機能実行部の数に応じた複数種類の動作モードが設定されていると共に、前記省エネモードには、前記復帰イベントを検出するイベント検出部への電力供給の有無に応じた複数種類の動作モードが設定されており、前記記憶部には、前記移行イベントの種類と前記省エネモードの種類とが対応付けられた移行設定情報と、前記復帰イベントの種類と前記通常モードの種類とが対応付けられた復帰設定情報とが記憶されており、前記モード切換部は、前記移行設定情報を参照することで、前記移行イベントの種類に応じた前記省エネモードに切り換えると共に、前記復帰設定情報を参照することで、前記復帰イベントの種類に応じた前記通常モードに切り換えて、切り換えた前記省エネモード及び前記通常モードを前記消費電力モニター情報として前記記憶部に記憶させ、前記消費電力モニター画面生成部は、前記通常モード及び前記省エネモードの種類が表記される前記消費電力モニター画面を生成させることを特徴とする。
さらに、本発明の画像形成装置において、前記消費電力モニター画面には、前記移行イベント及び前記復帰イベントの種類が表記されても良い。
さらに、本発明の画像形成装置において、前記記憶部には、前記復帰イベントの種類と、復帰前の前記省エネモードの種類と、復帰後の前記通常モードの種類と、引き続く動作とからなる複数の動作条件が動作条件情報として記憶されていると共に、前記動作条件毎の改善策が改善策情報として記憶されており、前記動作条件情報の動作条件に合致した場合に、前記改善策情報に基づいて合致した動作条件に対応する前記改善策を特定する特定する改善策特定部を具備し、前記消費電力モニター画面生成部は、前記改善策特定部によって特定された前記改善策が表記される前記消費電力モニター画面を生成させても良い。
さらに、本発明の画像形成装置において、前記消費電力モニター画面上で、前記改善策の提案通りに前記移行設定情報及び前記復帰設定情報が変更可能であっても良い。
【発明の効果】
【０００８】
本発明によれば、ユーザーは、消費電力モニター画面によって、消費電力の推移と、動作モードを切り換えたイベントとを関連づけて把握することができ、省エネ性やユーザー利便性を考慮した動作モード設定を行うことができるという効果を奏する。
【図面の簡単な説明】
【０００９】
【図１】本発明に係る画像形成装置の実施の形態の内部構成を示す断面模式図である。
【図２】図１に示す画像形成装置の概略構成を示すブロック図である。
【図３】図１に示す画像形成装置の動作モード例を示す図である。
【図４】図２に示す消費電力モニター画面生成部によって生成される消費電力モニター画面例を示す図である。
【発明を実施するための形態】
【００１０】
次に、本発明の実施の形態を、図面を参照して具体的に説明する。
本実施の形態の画像形成装置１は、複写機、スキャナー、複合機等の画像を形成する装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１１】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を表示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、画像形成装置１の各種設定をデフォルト状態にする際に使用するリセットボタン、通常モードと省エネモードとの切換を指示するスリープキー、テンキー等が設けられている。
【００１２】
原稿読取部２は、図１を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳの搬送方向に移動可能に構成されている。原稿読取スリット２３は、原稿給送部３による原稿ＭＳの搬送方向と直交する方向に形成されたスリットである。
【００１３】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１４】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に走査しながら読み取って画像データを取得し、取得した画像データを本体部４に出力する。
【００１５】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４に出力する。
【００１６】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部４７として機能する。
【００１７】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を記録紙Ｐに転写させる。定着部６６は、転写部６５によってトナー像が転写された記録紙を加熱してトナー像を記録紙Ｐに定着させる。そして感光体ドラム６１上に残存するトナーは、クリーニング部６７によって除去される。
【００１８】
図２には、画像形成装置１の概略構成を示すブロック図が示されている。上述の原稿読取部２、原稿給送部３、搬送部４７（給紙ローラー４２、搬送ローラー４４、排出ローラー４５）、操作部５及び記録部６は、制御部７に接続され、制御部７によって動作制御される。また、制御部７には、画像処理部８と、記憶部９と、通信部１０と、ファクス部１１と、人感センサー１２と、カードリーダー１３と、電源部１４と、電力測定部１５とが接続されている。
【００１９】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。また、制御部７は、イベント検出部７１、モード切換部７２、改善策特定部７３、消費電力モニター画面生成部７４として機能する。
【００２０】
画像処理部８は、画像データに対して所定の画像処理を行う手段であり、例えば、回転処理、拡大縮小処理や、階調調整、濃度調整等の画像改善処理が行われる。
【００２１】
記憶部９は、半導体メモリーやＨＤＤ（Hard Disk Drive）等の記憶手段であり、原稿読取部２によって原稿ＭＳを読み取ることで取得された画像データが記憶されると共に、各種の管理情報が記憶されている。
【００２２】
通信部１０は、ＬＡＮ等のネットワーク１００を介して、パーソナルコンピュータ等の周辺機器１０１との間で各種データを送受信する機能を有する。また、通信部１０は、ネットワーク１００及びルーター１０２を介してインターネット１０３に接続可能に構成されている。そして通信部１０は、インターネット１０３に接続されている各種通信機器との間で各種データを送受信する機能を有する。
【００２３】
ファクス部１１は、モデムを有し、原稿読取部２によって読み取られ、ファイル化された画像ファイルからファクシミリ信号を生成し、生成したファクシミリ信号を電話回線網１０４等のネットワークを介して送信するファクシミリ送信機能と、電話回線網１０４を介してファクシミリ信号を受信し、受信したファクシミリ信号から画像ファイルを生成するファクシミリ受信機能とを備えている。なお、ファクシミリ受信機能により受信生成された画像ファイルは、記憶部９に記憶されたり、記録部６によって記録紙Ｐに記録されたりする。
【００２４】
人感センサー１２は、画像形成装置１への人の接近を検出するセンサーである。人感センサー１２は、例えば、赤外線を受信するセンサーを有し、人体が放射する赤外線を検知することで、画像形成装置１への人の接近を検出する。
【００２５】
カードリーダー１３は、ユーザーが所有するＩＤカードからユーザーＩＤ等の認証情報を読み取る。カードリーダー１３によって読み取られた認証情報は、記憶部９等に予め記憶されているユーザー情報と照合され、ユーザー認証が行われる。
【００２６】
電源部１４は、商用交流電源ＡＣを画像形成装置１の各部で利用可能な直流電圧ＤＣに変換し、変換した直流電圧ＤＣを電源として画像形成装置１の各部に供給する。画像形成装置１には、動作モードとして、電源部１４から各部に電源として直流電圧ＤＣに供給して画像形成装置１を動作可能な状態とする通常モードと、電源部１４から各部への直流電圧ＤＣの供給を適宜停止させて節電状態とする省エネモードとが設定されている。なお、電源部１４は、省エネモードであっても、通常モードへの復帰を検出する部分（操作部５の操作ボタン５２、ファックス受信を検知する部分、印刷ＪＯＢを受信する部分）等には常に電源を供給している。本実施の形態では、図３に示すように、通常モードとして「全復帰」と、「部分復帰１」と、「部分復帰２」とが設定され、省エネモードとして「復帰優先」と、「省エネ優先」とが設定されている。通常モードの「全復帰」では、電源部１４は、液晶表示部５１、原稿給送部３、原稿読取部２、記録部６、通信部１０、ファクス部１１、人感センサー１２及びカードリーダー１３の全てに電源を供給する。通常モードの「部分復帰１」では、電源部１４は、記録部６への電源の供給は停止させ、液晶表示部５１、原稿給送部３、原稿読取部２、通信部１０、ファクス部１１、人感センサー１２及びカードリーダー１３に電源を供給する。通常モードの「部分復帰２」では、電源部１４は、液晶表示部５１、原稿給送部３、原稿読取部２及び記録部６への電源の供給を停止させ、通信部１０、ファクス部１１、人感センサー１２及びカードリーダー１３に電源を供給する。省エネモードの「復帰優先」では、電源部１４は、液晶表示部５１、原稿給送部３、原稿読取部２及び記録部６への電源の供給を停止させ、通信部１０及びファクス部１１に受信待機に必要な電源のみを供給すると共に、人感センサー１２及びカードリーダー１３に電源を供給する。省エネモードの「省エネ優先」では、電源部１４は、液晶表示部５１、原稿給送部３、原稿読取部２、記録部６、人感センサー１２及びカードリーダー１３への電源の供給を停止させ、通信部１０及びファクス部１１に受信待機に必要な電源のみを供給する。
【００２７】
電力測定部１５は、商用交流電源ＡＣと、電源部１４との間に介装されている。電力測定部１５は、画像形成装置１の消費電力を測定し、測定した消費電力を制御部７に出力する。そして、制御部７は、電力測定部１５から入力される消費電力を消費電力モニター情報９１として記憶部９に記憶させる。
【００２８】
イベント検出部７１は、通常モードから省エネモードに移行させる移行イベントと、省エネモードから通常モードに復帰させる復帰イベントと、移行イベントがあっても省エネモードへの移行を禁止する禁則イベント期間とを検出し、検出したイベントをモード切換部７２に通知する。また、イベント検出部７１は、検出した移行イベント及び復帰イベントを発生時刻と共に消費電力モニター情報９１として記憶部９に記憶させる。さらに、イベント検出部７１は、検出した禁則イベント期間を発生時刻及び終了時刻と共に消費電力モニター情報９１として記憶部９に記憶させる。イベント検出部７１は、通常モードにおいて、予め設定された操作ボタン５２の操作や、予め設定された各部の動作を移行イベントとして検出する。移行イベントとしては、「スリープキーの操作」、「無動作状態での指定時間経過」、省エネへの移行が設定された「省エネ移行指定時刻への到達」等がある。イベント検出部７１は、省エネモードにおいて、予め設定された操作ボタン５２の操作や、予め設定された各部の動作を復帰イベントとして検出する。復帰イベントとしては、スリープキーを含む「操作ボタン５２の操作」、通常モードへの復帰が設定された「通常モード復帰指定時刻への到達」、「人感センサー１２による人の検出」、「カードリーダー１３による認証情報の読み取り」、ネットワーク１００やインターネット１０３を介した「印刷指示の受信」、ネットワーク１００やインターネット１０３を介した「各種データの受信」等がある。イベント検出部７１は、通常モードにおいて、予め設定された各部の動作の実行期間を禁則イベント期間として検出する。禁則イベントとしては、ネットワーク１００やインターネット１０３を介した各種データの送信中、記憶部９等のメモリデバイスの使用中、記録部６の動作中（例えば、印字動作中、キャリブレーション中、ジャム検出中）等がある。
【００２９】
モード切換部７２は、イベント検出部７１によって検出されたイベント（移行イベント、復帰イベント、禁則イベント期間）に基づいて、画像形成装置１の動作モードを切り換えると共に、切り換えた動作モードを消費電力モニター情報９１として記憶部９に記憶させる。モード切換部７２は、通常モードにおいて、イベント検出部７１によって禁則イベント期間の非検出中に復帰イベントが検出されると、省エネモードに切り換えると共に、イベント検出部７１によって禁則イベント期間の検出中に復帰イベントが検出されても、通常モードを維持させる。また、省エネモードにおいて、イベント検出部７１によって復帰イベントが検出されると、通常モードに切り換える。なお、記憶部９には、イベント検出部７１によって検出された移行イベントの種類と、省エネモードの種類「復帰優先」及び「省エネ優先」とが対応付けられた移行設定情報９２が記憶されており、モード切換部７２は、移行設定情報９２を参照することで、イベント検出部７１によって検出された移行イベントの種類に応じた省エネモード（「復帰優先」ｏｒ「省エネ優先」）に切り換える。また、記憶部９には、イベント検出部７１によって検出された復帰イベントの種類と、通常モードの種類「全復帰」、「部分復帰１」及び「部分復帰２」とが対応付けられた復帰設定情報９３が記憶されており、モード切換部７２は、復帰設定情報９３を参照することで、イベント検出部７１によって検出された復帰イベントの種類に応じた通常モード（「全復帰」ｏｒ「部分復帰１」ｏｒ「部分復帰２」）に切り換える。
【００３０】
改善策特定部７３は、所定の動作条件に合致した場合に、省エネやユーザーの利便性向上に繋がる改善策を特定する。記憶部９には、復帰イベントの種類と、復帰前の省エネモードの種類と、復帰後の通常モードの種類と、引き続く動作とからなる複数の動作条件が動作条件情報９４として予め記憶されていると共に、動作条件毎の改善策が改善策情報９５として予め記憶されている。改善策特定部７３は、イベント検出部７１によって検出された復帰イベントと、復帰前の省エネモードの種類と、復帰後の通常モードの種類と、引き続く動作とが、動作条件情報９４の動作条件に合致する場合、改善策情報９５に基づいて合致した動作条件に対応する改善策を特定する。そして、改善策特定部７３は、特定した改善策を復帰イベントが検出された時刻と共に消費電力モニター情報９１として記憶部９に記憶させる。
【００３１】
例えば、動作条件情報９４として記憶部９に記憶されている動作条件の一つが、復帰イベントの種類「操作ボタン５２の操作」、復帰前の省エネモードの種類「復帰優先ｏｒ省エネ優先」、復帰後の通常モードの種類「全復帰」、引き続く動作「記録部６が動作することなく省エネモードに移行」である場合、対応する改善策「省エネモードでの操作ボタン５２の操作で通常モード「部分復帰１」に復帰」が改善策情報９５として記憶部９に記憶されている。これにより、普段、操作ボタンの操作で記録部６を含む全体を復帰「全復帰」させて、送信画面にてファクス送信を行っているユーザーに対し、記録部６を復帰させない「部分復帰１」を提案することができる。そして、ユーザーが提案通りに復帰設定情報９３を変更することで、記録部６によるムダな電力消費が防止され、省エネを実現することができる。
【００３２】
例えば、動作条件情報９４として記憶部９に記憶されている動作条件の一つが、復帰イベントの種類「人感センサー１２による人の検出」、復帰前の省エネモードの種類「復帰優先」、復帰後の通常モードの種類「全復帰ｏｒ部分復帰１ｏｒ部分復帰２」、引き続く動作「動作することなく省エネモードに移行」である場合、対応する改善策「省エネモード「省エネ優先」に移行」が改善策情報９５として記憶部９に記憶されている。これにより、画像形成装置１が狭い場所に設置され、画像形成装置１の使用を目的としていないユーザーの接近により、復帰イベント「人感センサー１２による人の検出」で無駄に通常モードに復帰されている場合に、省エネモードを「省エネ優先」に変更することを提案できる。そして、ユーザーが提案通りに移行設定情報９２を変更することで、省エネモードでは人感センサー１２がオフされるので不要な復帰動作が防止され、省エネを実現することができる。
【００３３】
例えば、動作条件情報９４として記憶部９に記憶されている動作条件の一つが、復帰イベントの種類「操作ボタン５２の操作」、復帰前の省エネモードの種類「省エネ優先」、復帰後の通常モードの種類「全復帰ｏｒ部分復帰１ｏｒ部分復帰２」、引き続く動作「所定時間以内にカードリーダー１３による認証情報の読み取りでユーザー認証」である場合、対応する改善策「省エネモード「復帰優先」に移行」が改善策情報９５として記憶部９に記憶されている。これにより、省エネモードを「省エネ優先」から「復帰優先」に変更することで、省エネモード中に「カードリーダー１３による認証情報の読み取り」で通常モードへの復帰と共にユーザー認証を行えることを提案できる。そして、ユーザーが提案通りに移行設定情報９２を変更することで、省エネモードではカードリーダー１３が使用可能になり、ユーザーの利便性を向上することができる。
【００３４】
消費電力モニター画面生成部７４は、操作部５によってモニター画面の生成指示を受け付けると、記憶部９に記憶されている消費電力モニター情報９１に基づいて、消費電力の推移をグラフ化し、図４に示すような消費電力モニター画面２００を生成する。そして、消費電力モニター画面生成部７４は、生成した消費電力モニター画面２００を液晶表示部５１に表示させる。なお、ネットワーク１００やインターネット１０３経由で周辺機器１０１からモニター画面の生成指示を受け付けた場合、消費電力モニター画面生成部７４は、
生成した消費電力モニター画面２００を通信部１０によってネットワーク１００やインターネット１０３経由で周辺機器１０１に送信する。
【００３５】
上述のように、消費電力モニター情報９１として、電力測定部１５から入力される消費電力と共に、イベント検出部７１によって検出された移行イベント（発生時刻）、復帰イベント（発生時刻）及び禁則イベント期間（発生時刻及び終了時刻）と、イベントによって切り換えられた動作モードと、改善策特定部７３によって特定された改善策（復帰イベントが検出された時刻）とが記憶され、これらの情報が消費電力モニター画面２００に反映されている。
【００３６】
消費電力モニター画面２００には、図４に示すように、移行イベントの発生を表す表記として移行アイコン２０１がその発生時刻に、復帰イベントの発生を表す復帰アイコン２０２がその発生時刻に、禁則イベント期間を表す禁則アイコン２０３がその発生時刻と終了時刻との間にそれぞれ配置されている。移行アイコン２０１をタッチすることで、発生した移行イベントの種類を通知する移行イベント通知画面が、復帰アイコン２０２をタッチすることで、発生した復帰イベントの種類を通知する復帰イベント通知画面が、禁則アイコン２０３をタッチすることで、発生した禁則イベント期間の種類を通知する禁則イベント通知画面がそれぞれポップアップされて表示される。これにより、ユーザーは、どのようなイベントで動作モードが切り換えられたのかを容易に把握することができる。なお、スペースに余裕がある場合には、各イベントの種類を消費電力モニター画面２００に直接表記するようにしても良い。
【００３７】
また、消費電力モニター画面２００には、省エネモードの期間を表す省エネアイコン２０４がその発生時刻と終了時刻との間に、通常モードの期間を表す通常アイコン２０５がその発生時刻と終了時刻との間にそれぞれ配置されている。省エネアイコン２０４をタッチすることで、省エネモードの種類を通知する省エネモード通知画面が、通常アイコン２０５をタッチすることで、通常モードの種類を通知する通常モード通知画面がそれぞれポップアップされて表示される。これにより、ユーザーは、切り換えられた動作モードの種類を容易に把握することができる。なお、スペースに余裕がある場合には、各動作モードの種類を消費電力モニター画面２００に直接表記するようにしても良い。
【００３８】
また、消費電力モニター画面２００には、改善策特定部７３によって特定された改善策があることを示す提案アイコン２０６が配置される。提案アイコン２０６をタッチすることで、改善策特定部７３によって特定された改善策を通知する改善策通知画面がポップアップされて表示される。これにより、ユーザーは、改善策を容易に把握することができる。また、改善策通知画面に改善策実行ボタンを配置し、改善策実行ボタンの操作によって、改善策の提案通りに移行設定情報９２や復帰設定情報９３が変更されるように構成すると好適である。
【００３９】
以上説明したように、本実施の形態は、画像形成を行う記録部６を含む複数の機能実行部（液晶表示部５１、原稿給送部３、原稿読取部２、通信部１０、ファクス部１１）を備え、動作モードとして、機能実行部に電力供給を行う通常モードと機能実行部への電力供給を停止させる省エネモードとを有する画像形成装置１であって、消費電力を測定する電力測定部１５と、電力測定部１５によって測定された消費電力を消費電力モニター情報９１として記憶する記憶部９と、通常モードから省エネモードに移行させる移行イベントと省エネモードから通常モードに復帰させる復帰イベントとを検出し、検出した移行イベント及び復帰イベントを発生時刻と共に消費電力モニター情報９１として記憶部９に記憶させるイベント検出部７１と、イベント検出部７１によって検出された移行イベント及び復帰イベントに基づいて動作モードを切り換えるモード切換部７２と、消費電力モニター情報９１に基づいて、消費電力の推移をグラフ化すると共に、移行イベント及び復帰イベントの発生を表す表記（移行アイコン２０１、復帰アイコン２０２）が配置された消費電力モニター画面２００を生成する消費電力モニター画面生成部７４と、消費電力モニター画面生成部７４によって生成された消費電力モニター画面２００を出力する出力手段である液晶表示部５１とを備えている。
この構成により、ユーザーは、消費電力モニター画面２００によって、消費電力の推移と、動作モードを切り換えたイベントとを関連づけて把握することができ、省エネ性やユーザー利便性を考慮した動作モード設定を行うことができる。
【００４０】
さらに、本実施の形態において、消費電力モニター画面２００には、移行イベント及び復帰イベントの種類が表記される。
この構成により、消費電力の推移と、動作モードを切り換えたイベントの種類とを関連づけて把握することができ、省エネ性やユーザー利便性をより詳細に考慮した動作モード設定を行うことができる。
【００４１】
さらに、本実施の形態において、通常モードには、電力供給を行う機能実行部の数に応じた複数種類の動作モード（「全復帰」ｏｒ「部分復帰１」ｏｒ「部分復帰２」）が設定されていると共に、前記省エネモードには、前記復帰イベントを検出するイベント検出部（人感センサー１２、カードリーダー１３）への電力供給の有無に応じた複数種類の動作モード（「復帰優先」ｏｒ「省エネ優先」）が設定されており、記憶部９には、移行イベントの種類と省エネモードの種類とが対応付けられた移行設定情報９２と、復帰イベントの種類と通常モードの種類とが対応付けられた復帰設定情報９３とが記憶されており、モード切換部７２は、移行設定情報９２を参照することで、移行イベントの種類に応じた省エネモードに切り換えると共に、復帰設定情報９３を参照することで、復帰イベントの種類に応じた通常モードに切り換えて、切り換えた前エネモード及び通常モードを前記消費電力モニター情報９１として記憶部９に記憶させ、消費電力モニター画面生成部７４は、通常モード及び省エネモードの種類が表記される消費電力モニター画面２００を生成させる。
この構成により、消費電力の推移と、切り換えられた動作モードを切り換えるイベントの種類とを関連づけて把握することができ、省エネ性やユーザー利便性をより詳細に考慮したモード設定を行うことができる。
【００４２】
さらに、本実施の形態において、記憶部９には、復帰イベントの種類と、復帰前の省エネモードの種類と、復帰後の通常モードの種類と、引き続く動作とからなる複数の動作条件が動作条件情報９４として記憶されていると共に、動作条件毎の改善策が改善策情報９５として記憶されており、動作条件情報９４の動作条件に合致した場合に、改善策情報９５に基づいて合致した動作条件に対応する改善策を特定する特定する改善策特定部７３を具備し、消費電力モニター画面生成部７４は、改善策特定部７３によって特定された改善策が表記される消費電力モニター画面２００を生成させる。
この構成により、ユーザーに対して、省エネ性やユーザー利便性を向上させる改善策の提案を効果的に行うことができる。
【００４３】
さらに、本実施の形態において、消費電力モニター画面２００上で、改善策の提案通りに移行設定情報９２及び復帰設定情報９３が変更可能である。
この構成により、ユーザーは、提案された改善策を簡単に実行することができる。
【００４４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４５】
１  画像形成装置
２  原稿読取部
３  原稿給送部
４  本体部
５  操作部
６  記録部
７  制御部
８  画像処理部
９  記憶部
１０  通信部
１１  ファクス部
１２  人感センサー
１３  カードリーダー
１４  電源部
１５  電力測定部
２１  スキャナー
２２  プラテンガラス
２３  原稿読取スリット
２４  光源
２５  受光部
３１  原稿載置部
３２  原稿排出部
３３  原稿搬送機構
４１  給紙部
４２  給紙ローラー
４３  用紙搬送路
４４  搬送ローラー
４５  排出ローラー
４６  排出空間
４７  搬送部
５１  液晶表示部
５２  操作ボタン
６１  感光体ドラム
６２  帯電部
６３  露光部
６４  画像形成部
６５  転写部
６６  定着部
６７  クリーニング部
７１  イベント検出部
７２  モード切換部
７３  改善策特定部
７４  消費電力モニター画面生成部
９１  消費電力モニター情報
９２  移行設定情報
９３  復帰設定情報
９４  動作条件情報
９５  改善策情報
１００  ネットワーク
１０１  周辺機器
１０２  ルーター
１０３  インターネット
１０４  電話回線網
２００  消費電力モニター画面
２０１  移行アイコン
２０２  復帰アイコン
２０３  禁則アイコン
２０４  省エネアイコン
２０５  通常アイコン
２０６  提案アイコン
【図１】
0006418171.tif 000002
【図２】
0006418171.tif 000003
【図３】
0006418171.tif 000004
【図４】
0006418171.tif 000005